(57)【特許請求の範囲】
【請求項１】
目地の形成された突き板による化粧面を有する基材に、その表面、端面及び裏面側にわたって非透水性合成樹脂フィルムを貼着させてなる木質建材であって、ＦＲＰ製の板材とした基材の化粧面となる突き板には、基材に達する目地が形成されていて、突き板の目地部分の端面が各目地毎に長手方向にわたって露出されており、突板の表面、突板の目地部分の端面、目地部分における基材の表面に貼着した非透水性合成樹脂フィルムを基材の端面及び裏面側にわたって貼着させてなることを特徴とする木質建材。
【請求項２】
非透水性合成樹脂フィルムは、その表面に汚染防止塗装が施されてなることを特徴とする請求項１記載の木質建材。
【請求項３】
目地の形成された突き板による化粧面を有する所定長さの基材の表面に、同基材の長手方向の両端から延出するよう非透水性合成樹脂フィルムを貼着させ、同非透水性合成樹脂フィルムのその延出部を該基材の長手方向両端面から裏面に巻回してその端面及び裏面側にわたって貼着させたことを特徴とする請求項１乃至２のいずれか一つの請求項記載の木質建材の製造方法。
【請求項４】
非透水性合成樹脂フィルムの裏面側にはホットメルト接着剤が塗布されており、同非透水性合成樹脂フィルムを基材に重ねた後に加熱圧締して貼着させたことを特徴とする請求項３記載の木質建材の製造方法。
【発明の詳細な説明】
【０００１】
【発明の属する技術分野】
本発明は、木質建材及びその製造方法に関し、詳しくは洗面ルーム等の水廻りへの使用に適した木質建材及びその製造方法に関するものである。
【０００２】
【従来の技術】
従来から、洗面ルーム等の住宅の水廻りに使用される木質建材には、その表面に塗装を施したり、あるいは非透水性合成樹脂フィルムを貼着することが行われている。例えば、特開平７−２９２８４７として開示されている、基材の表面を化粧面に形成すると共に、裏面及び端面に非透水性合成樹脂フィルムを接着させてなる木質建材がある。
【０００３】
【発明が解決しようとする課題】
しかしながら、木質建材を水廻りに使用する場合、木材の吸湿あるいは吸水による材料の膨潤によってその木質建材が反ったり、腐れにより変質することを防止するため、上記などによる吸湿、吸水防止のための処理を確実に行う必要がある。
【０００４】
ところで、木材においては、その木口からの吸湿あるいは吸水が大きい。また、化粧面にはその意匠を高めるために一般に目地加工が施されている。したがって、例えば塗装による場合に目地の立ち上がり面に塗料が付着し難いため、その部分からの吸湿あるいは吸水を確実に防止できないという問題があった。
【０００５】
本発明は、上記事由に鑑みてなしたもので、その目的とするところは、化粧面に目地を有する木質建材に確実に吸湿、吸水防止の処理を行うことのできる木質建材及びその製造方法を提供することにある。
【０００６】
【課題を解決するための手段】
上記目的を達成するために、本発明の木質建材にあっては、目地の形成された突き板による化粧面を有する基材に、その表面、端面及び裏面側にわたって非透水性合成樹脂フィルムを貼着させてなる木質建材であって、ＦＲＰ製の板材とした基材の化粧面となる突き板には、基材に達する目地が形成されていて、突き板の目地部分の端面が各目地毎に長手方向にわたって露出されており、突板の表面、突板の目地部分の端面、目地部分における基材の表面に貼着した非透水性合成樹脂フィルムを基材の端面及び裏面側にわたって貼着させてなることを特徴としている。
【０００７】
この構成にて、基材に、目地の形成された突き板による化粧面を有する木質建材の表面、端面が、その貼着された非透水性合成樹脂フィルムにて覆われる。
【０００８】
そして、上記基材をＦＲＰ製の板材とすることが好ましい。この場合、ＦＲＰ製の板材による基材と目地の形成された突き板製化粧面を備えた木質建材が、表面、端面及び裏面側にわたって貼着された非透水性合成樹脂フィルムにて覆われる。
【０００９】
また、上記非透水性合成樹脂フィルムは、その表面に汚染防止塗装が施されてなることが好ましい。この場合、基材に、目地の形成された突き板による化粧面を有する木質建材の表面が、同表面、端面及び裏面側にわたって貼着される汚染防止塗装が施された非透水性合成樹脂フィルムにて覆われる。
【００１０】
また、本発明の木質建材の製造方法にあっては、目地の形成された突き板による化粧面を有する所定長さの基材の表面に、同基材の長手方向の両端から延出するよう非透水性合成樹脂フィルムを貼着させ、同非透水性合成樹脂フィルムのその延出部を該基材の長手方向両端面から裏面に巻回してその端面及び裏面側にわたって貼着させたことを特徴としている。
【００１１】
これにより、非透水性合成樹脂フィルムが、まず、目地の形成された突き板による化粧面を有する所定長さの基材にその長手方向の両端から延出するようその表面に貼着され、次いで、同非透水性合成樹脂フィルムがその延出部を該基材の長手方向両端面から裏面へ巻回して端面及び裏面側にわたって貼着される。
【００１２】
そして、上記非透水性合成樹脂フィルムの裏面側にはホットメルト接着剤が塗布されており、同非透水性合成樹脂フィルムを基材に重ねた後に加熱圧締して貼着させるのが好ましい。この場合、基材に、その裏面側にホットメルト接着剤の塗布された非透水性合成樹脂フィルムを重ねて、加熱圧締するのみにて貼着できて簡単に加工できる。
【００１３】
【発明の実施の形態】
図１乃至図５は、本発明の請求項１乃至５全てに対応する一実施の形態を示し、図１は、本発明の一実施の形態の木質建材を示す外観図である。図２は、同木質建材の説明図である。図３は、同木質建材の製造方法の概略構成図である。図４は、同木質建材の製造方法の説明図である。図５は、同木質建材の吸水性試験の説明図である。
【００１４】
この実施の形態の木質建材１は、目地３１の形成された突き板３による化粧面を有する基材２に、その表面、端面及び裏面側にわたって非透水性合成樹脂フィルム４を貼着させてなる。
【００１５】
又、該実施の形態の木質建材１においては、基材２をＦＲＰ製の板材としてもいる。又、該実施の形態の木質建材１においては、非透水性合成樹脂フィルム４は、その表面に汚染防止塗装が施されてもいる。
【００１６】
又、この実施の形態の木質建材の製造方法は、目地３１の形成された突き板３による化粧面を有する所定長さの基材２の表面に、同基材２の長手方向の両端から延出するよう非透水性合成樹脂フィルム４を貼着させ、同非透水性合成樹脂フィルム４のその延出部４ａを該基材２の長手方向両端面から裏面に巻回してその端面及び裏面側にわたって貼着させている。又、該実施の形態の木質建材の製造方法は、非透水性合成樹脂フィルム４の裏面側にはホットメルト接着剤が塗布されており、同非透水性合成樹脂フィルム４を基材２に重ねた後に加熱圧締して貼着させてもいる。
【００１７】
この木質建材１は、例えば洗面ルーム等の住宅の水廻りの壁面に使用して好ましいもので、表面材として突き板３が貼着された基材２の表面に非透水性合成樹脂フィルム４が貼着されてなる。そして、例えば、下記に示す条件にて実施例サンプルを形成している。
【００１８】
基材２は、この場合、所定の大きさで厚み約５ｍｍのポリエステル樹脂系のＦＲＰ板材に接着剤を塗布した後、突き板３と呼ばれる、天然木を薄くスライスした表面化粧材を積層して圧締し、所定の圧力、温度を加えて加圧及び加熱処理を行って接着した後に、突き板３の長手方向の全域にわたって所定の幅及び深さ寸法をもった目地３１が後加工されて形成されたものを使用している。すなわち、この基材２の化粧面となる突き板３の表面には、図２に示すように、突き板３の目地３１部分の端面が各目地毎に長手方向にわたって露出している。また、この基材２による木質建材は、上記のＦＲＰ板材自体が吸湿することが無いため、その裏面側は、吸湿、吸水防止の処理を行う必要が無い。
【００１９】
非透水性合成樹脂フィルム４は、図２に示すように、突き板３による基材２の化粧面全体を保護するもので、この場合、厚み５０μｍ程度のポリプロピレンシート材にて形成されている。そして、このポリプロピレンシート材の裏面側にホットメルト接着剤が厚み２０μｍ程度塗布され、またその表面側に汚染防止塗装としてウレタン系樹脂にシリコン系樹脂を１０％程度添加した樹脂系塗料が施されて基材２へ貼着される。
【００２０】
上記の構成による木質建材を製造するときには、実施例の場合、まず、幅９００ｍｍ及び長さ１８００ｍｍの所定外形寸法をもった基材２を、図３に示す如く長手方向に順送りさせ、ロール状に巻回されている、裏面側にホットメルト接着剤の塗布された非透水性合成樹脂フィルム４（Ａ）を、シリコンゴムロールＢを介して重ね、加圧及び加熱しながら下方に設けられた鉄製ロールＣを回動させ押し出して基材２の表面に貼着させた。このとき、シリコンゴムロールＢは、その表面が可撓性を有しているため、非透水性合成樹脂フィルム４を上記目地３１の内部に深く入り込むことが可能となり、目地３１の底部及び立ち上がり面に向けて密接されて貼着される。この場合、シリコンゴムロールＢは、その外形がφ２５０ｍｍで、ゴム部がその厚さが１０ｍｍ、ゴム硬度が４０度である。また、シリコンゴムロールＢは、その表面温度を１３０℃としロールクリアランスを約３ｍｍとしており、基材２に向けて大略１０（ｋｇ／平方センチ）程度の加圧及び加熱処理を行っている。
【００２１】
その後、非透水性合成樹脂フィルム２が基材２の長手方向の両端から延出するよう貼着されたのち、図中に矢印Ｄ，Ｄにて示す位置にて切断される。したがって、その貼着後においては、図４（ａ）に示すように、基材２の表面に貼着された非透水性合成樹脂フィルム４の長手方向両端には、所定長さの延出部４ａ，４ａが形成される。そして、その延出部４ａ，４ａを、図４（ｂ）に示すように、基材２の長手方向両端面から裏面に巻回させ、さらに、図示していない加圧及び加熱用のロール装置を通過させて、上記と同様の加圧及び加熱処理を行いその端面及び裏面側にわたって延出部４ａ，４ａを貼着させる。
【００２２】
次に、上記の製造方法にて製造された木質建材の吸水性の比較のため、上記実施例を同様条件による基材２の表面に塗装を施した比較例を製作して吸水性試験を行った内容について述べる。
【００２３】
まず、基材２の上下端面及びその化粧面となる突き板３の表面にウレタン系シーラー（製品名：和信化学工業製ポリウレックスシーラーＮＹ）を７０（ｇ／平方メートル）の量を下塗りとして塗布した後、さらに上塗りとしてウレタン系塗料（製品名：和信化学工業製ポリウレック４８−８）を７０（ｇ／平方メートル）の量を塗布した比較例サンプルを製作した。
【００２４】
この比較例サンプルと、この発明の製造方法にて製造された木質建材の実施例サンプルとを比較する吸水性試験は、具体的には、図５（ａ）に示すように、その開口周囲にシーリングを施したロートＥを逆さまにし内部に水Ｇを入れて目地部に当て、２４時間放置後のサンプルの重量増加量から吸水量を求める目地部吸水試験、及び、図５（ｂ）に示すように、容器Ｆ内にはった水Ｇに木口端面部を浸せきさせて２４時間放置後のサンプルの重量増加量から吸水量を求める端面部吸水試験である。比較結果を以下の表に示す。
【００２５】
【表１】
0004244465.tif 000002
この表に示す通り、目地部及び端面部からの吸水量とも、実施例において吸水が無いのに対して、比較例においては吸水していることが解る。
【００２６】
したがって、以上説明した木質建材１によると、基材２に、目地３１の形成された突き板３による化粧面を有する木質建材１の表面、端面が、その貼着された非透水性合成樹脂フィルム４にて覆われるので、化粧面に目地３１を有する木質建材１に確実に吸湿、吸水防止の処理を行うことができる。
【００２７】
そして、ＦＲＰ製の板材による基材２と目地３１の形成された突き板製化粧面を備えた木質建材１が、表面、端面及び裏面側にわたって貼着された非透水性合成樹脂フィルム４にて覆われるので、裏面側の処理を行うことなく容易に吸湿、吸水防止の処理を行うことができる。また、基材２に、目地３１の形成された突き板３による化粧面を有する木質建材１の表面が、同表面、端面及び裏面側にわたって貼着される汚染防止塗装が施された非透水性合成樹脂フィルム４にて覆われるので、耐汚染性の優れた木質建材が容易に形成される。
【００２８】
また、以上説明した木質建材の製造方法によると、非透水性合成樹脂フィルム４が、まず、目地３１の形成された突き板３による化粧面を有する所定長さの基材２にその長手方向の両端から延出するようその表面に貼着され、次いで、同非透水性合成樹脂フィルム４がその延出部４ａ，４ａを該基材２の長手方向両端面から裏面へ巻回して端面及び裏面側にわたって貼着されるので、長手方向両端面の吸湿、吸水防止の処理を容易に行うことができる。
【００２９】
また、基材２に、その裏面側にホットメルト接着剤の塗布された非透水性合成樹脂フィルム４を重ねて、加熱圧締するのみにて貼着できるので、簡単に加工することができ、以て、加工性に優れる。
【００３０】
【発明の効果】
本発明は、上述の実施態様の如く実施されて、請求項１記載の木質建材にあっては、基材に、目地の形成された突き板による化粧面を有する木質建材の表面、端面が、その貼着された非透水性合成樹脂フィルムにて覆われるので、化粧面に目地を有する木質建材に確実に吸湿、吸水防止の処理を行うことができる。
【００３１】
また、請求項１記載の木質建材にあっては、ＦＲＰ製の板材による基材と目地の形成された突き板製化粧を備えた木質建材が、表面、端面及び裏面側にわたって貼着された非透水性合成樹脂フィルムにて覆われるので、裏面側の処理を行うことなく容易に吸湿、吸水防止の処理を行うことができる。
【００３２】
また、請求項２記載の木質建材にあっては、基材に、目地の形成された突き板による化粧面を有する木質建材の表面が、同表面、端面及び裏面側にわたって貼着される汚染防止塗装が施された非透水性合成樹脂フィルムにて覆われるので、耐汚染性の優れた木質建材が容易に形成される。
【００３３】
また、請求項３記載の木質建材の製造方法にあっては、非透水性合成樹脂フィルムが、まず、目地の形成された突き板による化粧面を有する所定長さの基材にその長手方向の両端から延出するようその表面に貼着され、次いで、同非透水性合成樹脂フィルムがその延出部を該基材の長手方向両端面から裏面へ巻回して端面及び裏面側にわたって貼着されるので、長手方向両端面の吸湿、吸水防止の処理を容易に行うことができる。
【００３４】
また、請求項４記載の木質建材の製造方法にあっては、基材に、その裏面側にホットメルト接着剤の塗布された非透水性合成樹脂フィルムを重ねて、加熱圧締するのみにて貼着できるので、簡単に加工することができ、以て、加工性に優れる。
【００３５】
【図面の簡単な説明】
【図１】本発明の一実施の形態の木質建材を示す外観図である。
【図２】同木質建材の説明図である。
【図３】同木質建材の製造方法の概略構成図である。
【図４】同木質建材の製造方法の説明図である。
【図５】同木質建材の吸水性試験の説明図である。
【符号の説明】
１    木質建材
２    基材
３    突き板
３１  目地
４    非透水性合成樹脂フィルム
４ａ  延出部
【図１】
0004244465.tif 000003
【図２】
0004244465.tif 000004
【図３】
0004244465.tif 000005
【図４】
0004244465.tif 000006
【図５】
0004244465.tif 000007